(57)【要約】【課題】表面部に扉前板が設けられた冷蔵庫扉において、扉前板が歪みにくく扉前板に映し出される像の歪みを抑えることができ高い外観品位の冷蔵庫が得られる冷蔵庫扉を提供する。【解決手段】扉前板２１と、扉前板２１の後方に設けられた扉後板２７と、扉前板２１と扉後板２７との間に設けられた断熱材２３とを備え、冷蔵庫本体１の開口部を閉塞する冷蔵庫扉６において、扉前板２１はガラス板により形成され、前面２１ａに曲面部２１ｂを有する。【選択図】        図１
2020148458.tif 000002
【特許請求の範囲】
【請求項１】
扉前板と、前記扉前板の後方に設けられた扉後板と、前記扉前板と前記扉後板との間に設けられた断熱材とを備え、冷蔵庫本体の開口部を閉塞する冷蔵庫扉において、
前記扉前板はガラス板により形成され、前面に曲面部を有する冷蔵庫扉。
【発明の詳細な説明】
【技術分野】
【０００１】
本発明の実施形態は、冷蔵庫扉に関するものである。
【背景技術】
【０００２】
従来より、冷蔵庫では、庫内の貯蔵品の出し入れする開口部を開閉可能に閉塞する冷蔵庫扉が設けられている。冷蔵庫扉は、表面部を構成する扉前板と、庫内の貯蔵空間と対向して設けられる扉後板と、扉前板及び扉後板の間に設けられた発泡断熱材や真空断熱材などの断熱材とを備えたものが一般的である。
【０００３】
近年、冷蔵庫の意匠性を向上させるため冷蔵庫扉の扉前板としてガラス板などの光沢性に優れたものを用いることがある。
【先行技術文献】
【特許文献】
【０００４】
【特許文献１】特開２０１６−５０７６５号公報
【発明の概要】
【発明が解決しようとする課題】
【０００５】
しかしながら、扉前板と扉後板との間に発泡断熱材を設ける場合、発泡充填時の発泡圧力によって扉前板が歪むことがある。また、扉前板と扉後板との間に真空断熱材を設ける場合でも、真空断熱材は内部が減圧されており外気圧の変化や内部圧力の変化によって厚みが僅かであるが変化し、この厚み変化によって扉前板が歪むことがある。扉前板にガラス板など光沢性のある板状の部材を用いた冷蔵庫扉では、扉前板において鏡面反射が起こり使用者の姿や周りの景色が扉前板に映り込みやすいため、製品性能上問題にならないようなわずかな歪みであってもこれが扉前板に生じると、扉前板に映し出される像も歪んでしまい外観品位を損なうことがある。特に、複数の冷蔵庫扉を上下や左右に並べて配置する場合、各冷蔵庫扉の間で扉前板に生じた歪みにばらつきがあると、各冷蔵庫扉に映し出される像の歪み方がそれぞれ異なり、大きく美観を損ねることがある。
【０００６】
そこで、表面部に扉前板が設けられた冷蔵庫扉において、扉前板が歪みにくく扉前板に映し出される像の歪みを抑えることができ高い外観品位の冷蔵庫が得られる冷蔵庫扉を提供することを目的とする。
【課題を解決するための手段】
【０００７】
本実施形態の冷蔵庫扉は、表面部に設けられた扉前板と、前記扉前板の背面に設けられた扉後板と、前記扉前板と前記扉後板との間に設けられた断熱材とを備え、冷蔵庫の開口部を閉塞する冷蔵庫扉において、前記扉前板はガラス板により形成され、前面に曲面部を有するものである。
【図面の簡単な説明】
【０００８】
【図１】第１実施形態を示す冷蔵庫扉の半断面図
【図２】第１実施形態を示す冷蔵庫扉の分解斜視図
【図３】第１実施形態の冷蔵庫扉を備えた冷蔵庫の外観斜視図
【図４】第２実施形態を示す冷蔵庫扉の半断面図
【図５】第２実施形態の変更例を示す冷蔵庫扉の半断面図
【図６】第２実施形態の他の変更例を示す冷蔵庫扉の半断面図
【図７】第２実施形態の他の変更例を示す冷蔵庫扉の半断面図
【図８】第３実施形態を示す冷蔵庫扉を模式的に示す断面図
【図９】第３実施形態の変更例を示す冷蔵庫扉を模式的に示す断面図
【図１０】第４実施形態を示す冷蔵庫扉を模式的に示す断面図
【図１１】第５実施形態の冷蔵庫扉を備えた冷蔵庫の外観斜視図
【発明を実施するための形態】
【０００９】
（第１実施形態）
以下、図面に基づいて本発明の一実施形態について説明する。
【００１０】
本実施形態の冷蔵庫扉２，３，４，５，６は、内部に貯蔵室７，８，９，１０，１１が設けられた冷蔵庫本体１に取り付けられ図３に示すような冷蔵庫Ｒを構成する。
【００１１】
具体的には、冷蔵庫本体１は、貯蔵室として最上部に冷蔵室７が設けられ、その下に野菜室８が設けられ、その野菜室８の下に製氷室９及び第１冷凍室１０が左右に並んで設けられ、製氷室９及び第１冷凍室１０の下に第２冷凍室１１が設けられている。
【００１２】
最上部の冷蔵室７の前面開口部は、左右一方の端部に設けられたヒンジ１２により冷蔵庫本体１に回動可能に支持された冷蔵室扉２が冷蔵室７の前面開口部を開閉可能に閉塞する。野菜室８、製氷室９、第１冷凍室１０及び第２冷凍室１１の前面開口部は、引き出し式の野菜室扉３、製氷室扉４、第１冷凍室扉５、第２冷凍室扉６によりそれぞれ開閉可能に閉塞されている。
【００１３】
次に、冷蔵室７の前面開口部を閉塞する第２冷凍室扉６の構成について説明する。なお、本実施形態における冷蔵庫扉２，３，４，５，６は、形状や大きさにおいて異なっているが、基本的な構成が共通しているため、ここでは第２冷凍室扉６について説明し、他の冷蔵庫扉２，３，４，５の詳細な説明を省略する。
【００１４】
第２冷凍室扉６は、図１及び２に示すように、冷蔵庫Ｒの前側（庫外側）より順に、扉前板２１、支持枠２２、真空断熱パネル２３及びソフトテープ２４、断熱体２５、引出レール取付板２６、扉後板２７、ガスケット２８を有している。
【００１５】
扉前板２１は、第２冷凍室扉６の外表面を構成する透明なガラス板を備える。なお、本実施形態では、扉前板２１としてガラス板を備える場合について説明するが、本発明はこれに限定されず、扉前板２１は所定の厚さの剛性を有する板状体であってもよい。扉前板２１は、透光性あるいは絶縁性あるいは光沢性を有する板状体であってもよく、ガラス板以外に樹脂板や非金属板などであってもよい。また、扉前板２１は、必要に応じて着色したり、金属光沢を付与したり、あるいは模様を付与したりする着色層３０を、剛性を有する板状体の裏面側に備えていてもよい。この着色層３０は、印刷や蒸着などの手段により形成することができる。
【００１６】
支持枠２２は、上辺部、下辺部、左側辺部、及び右側辺部の全周をＡＢＳ樹脂等のプラスチックにより形成された扉前板２１より一回り大きな矩形枠状をなしており、冷蔵室扉２の周面を構成する。この支持枠２２の内周部の前側には、内方へフランジ状に突出する支持部３１が設けられている。支持部３１の前面には、扉前板２１の後面が両面接着テープ３３を介して接着固定されている。
【００１７】
真空断熱パネル２３は、例えば、細いガラス繊維の綿状物であるグラスウールをマット状にしてコア材とし、このコア材を、アルミニウム箔とＰＥＴ（ポリエチレンテレフタレート）等の合成樹脂とのラミネートフィルムで製袋したガスバリア容器に収納し、その内部を真空排気し開口を密閉することで容器内部を真空減圧状態に保持したパネルであり、薄くて低い熱伝導率（高い断熱性）を有している。この真空断熱パネル２３の周囲は、ソ
フトテープ２４によって取り囲まれている。
【００１８】
断熱体２５は、発泡スチロールから成るもので、真空断熱パネル２３より小さな矩形枠状をなしており、真空断熱パネル２３の後側に設けられる。
【００１９】
なお、本実施形態では、扉前板２１と扉後板２７との間に、断熱材として真空断熱パネル２３と発泡スチロールからなる断熱体２５とを設ける場合について説明するが、真空断熱パネル２３及び断熱体２５の少なくとも一方に変えて、あるいは、真空断熱パネル２３及び断熱体２５とともに、発泡ウレタンなどの発泡断熱材を扉前板２１と扉後板２７との間に設けてもよい。
【００２０】
引出レール取付板２６は、第２冷凍室扉６の後方に設けられた収納容器６ａを支持する引出レール６ｂを取付ける縦長長尺状の金属製の部材であり、左右に１つずつ存在している。
【００２１】
扉後板２７は、この場合、プラスチック製であり、扉前板２１とほぼ同じ大きさの矩形のもので、左右の両側に引出レール取付板２６を収納するための凹部２７ａを有し、裏側の周囲部に断熱体２５を収納するスロート部２７ｂを有している。
【００２２】
扉後板２７裏側の周縁部には、ガスケット取付部２７ｃ（図１参照）を有している。このガスケット取付部２７ｃは、中空であり、開口部が後方を指向している。扉後板２７に設けられたガスケット取付部２７ｃ及び上記スロート部２７ｂより内方（中心側）の域が平滑なものである。
【００２３】
ガスケット２８は、ガスケット取付部２７ｃに取り付けられる矢尻状の差込部２８ａを有するもので、扉後板２７の周縁部を取り囲むように固定される。ガスケット２８の差込部２８ａの裏側には、閉扉時の衝撃を和らげるとともに冷蔵庫本体１にガスケット２８を密着させるための中空のエアクッション部２８ｂと、エアクッション部２８ｂの裏側に設けられ冷蔵庫本体１に磁着するためのマグネット２８ｃと、エアクッション部２８ｂより内方へ突出し冷蔵庫本体１からの冷気の漏洩をより確実に防止するためのひれ部２８ｄを有している。
【００２４】
このような構成において、扉前板２１を構成するガラス板は、その前面２１ａに後方へ凹んだ凹状部２１ｂが設けられている。
【００２５】
本実施形態における凹状部２１ｂは、鉛直断面形状は直線状をなしており上下方向に湾曲せず、図１に示すような水平断面形状が、左右両側端より冷蔵庫本体１の幅方向中央に行くほど後方に位置するように幅方向中央部で最も後方へ凹んだ凹形状をなしている。
【００２６】
この凹状部２１ｂは、複数の曲率半径の円弧をなめらかに繋いだ曲面であって、幅方向外側ほど曲率半径の小さい円弧からなる凹曲面形状をなしている。一例を挙げると、冷蔵庫本体１の幅方向外側から中央部へ向けて曲率半径が８０ｍｍ、８００ｍｍ、１０００ｍｍ、２０００ｍｍの順番で変化する曲面とすることができる。また、本実施形態において、扉前板２１の前面２１ａは、扉前板２１の厚さ方向に対して垂直な平面Ｓに対して傾斜角度が左右両側端部において大きく、幅方向中央部に行くほど当該傾斜角度が小さくなる形状をなしており、扉前板２１の前面２１ａの全体が凹状部２１ｂをなしている。
【００２７】
なお、上記平面Ｓに対する扉前板２１の前面２１ａの傾斜角度θは、最大角度（本実施形態では、左右両端位置における傾斜角度）が９０°以下であることが好ましく、４５°以下であることが更に好ましく、３０°以下であることが更に好ましい。扉前板２１の前
面２１ａに設けられた凹状部２１ｂの底部２１ｃにおける扉前板２１の厚みｔ１（つまり、厚みが最も薄い位置における扉前板２１の厚みｔ１）は、上記平面Ｓから凹形状の底部２１ｃまでの距離ｔ２（つまり、凹形状の陥没量ｔ２）より大きく設定されている。また、本実施形態において、着色層３０が設けられた扉前板２１の後面は、凹凸形状のない平坦面をなしている。
【００２８】
支持枠２２は、上記した支持部３１の外周部から前方に突出し、その先端（前端）が内方へ向けてフランジ状に突出する把持部３２を備える。支持枠２２は、支持部３１の前面に設けられた両面接着テープ３３によって扉前板２１の後面を接着固定するとともに、把持部３２が扉前板２１の前面周縁部（つまり、上下縁部及び左右縁部）を覆うように支持部３１との間で扉前板２１の周縁部を保持する。
【００２９】
本実施形態では、第２冷凍室扉６の外表面を構成する扉前板２１の前面２１ａが後方へ凹んだ凹形状をなした凹状部２１ｂを備えているため、後方から前方への押し出される応力に対して扉前板２１が変形しにくくなり、扉前板２１に歪みが生じにくい。そのため、第２冷凍室扉６の扉前板２１に映し出される像の歪みを抑えることができ高い外観品位の冷蔵庫が得られる。
【００３０】
また、本実施形態では、扉前板２１の前面周縁部が支持枠２２の把持部３２によって覆われているため、扉前板２１のカケや割れを防止することができる。
【００３１】
さらに本実施形態では、扉前板２１の厚みｔ１が、凹形状の陥没量ｔ２より大きくなるように前面２１ａに設けられた凹状部２１ｂの凹形状が設定されているため、扉前板２１自体が薄くなりすぎて剛性低下することがない。
【００３２】
（変更例１）
上記した実施形態では、第２冷凍室扉６の外表面を構成する扉前板２１の前面２１ａが後方へ凹んだ凹形状の凹状部２１ｂを備える場合について説明したが、他の冷蔵庫扉２，３，４，５についても外表面を構成する扉前板の前面に後方へ凹んだ凹形状の凹状部を設けてもよい。
【００３３】
本実施形態のように冷蔵庫本体１に設ける全ての冷蔵庫扉２，３，４，５，６について、外表面を構成する扉前板の前面に後方へ凹んだ凹形状の凹状部を設けることで、各冷蔵庫扉２，３，４，５，６の間で扉前板に歪みが生じにくく、映し出される像の歪みも抑えられるため高い外観品位の冷蔵庫が得られる。
【００３４】
特に、上下に並べて配置された複数の冷蔵庫扉の扉前板の前面に凹状部を設ける場合、上下に並ぶ冷蔵庫扉の扉前板の前面は、鉛直断面形状を直線状に設け、水平断面形状を上下に並ぶ冷蔵庫扉同士で同一形状に設けることが好ましい。その際、製氷室扉４と第１冷凍室扉５のように冷蔵庫本体１の幅方向に複数の冷蔵庫扉を並べて設ける場合、製氷室扉４及び第１冷凍室扉５の扉前板の前面の水平断面形状が、連続した凹曲面形状をなし、これらの扉４，５の上方や下方に設けられた冷蔵庫扉２，３，６の扉前板の前面の水平断面形状と一致する形状であることが好ましい。このように上下に並ぶ冷蔵庫扉の扉前板の水平断面形状を同一形状とすることで、冷蔵庫前面全体に統一された像が映し出され、より高い外観品位の冷蔵庫が得られる。
【００３５】
（変更例２）
上記した実施形態では、第２冷凍室扉６の扉前板２１に設けた凹状部２１ｂの水平断面形状が、複数の曲率半径の円弧をなめらかに繋いだ凹曲面形状に設け、扉前板２１の前面２１ａの鉛直断面形状は直線状に設けたが、本発明はこれに限定されず、扉前板２１の前
面２１ａに後方に凹んだ形状が設けられていればよい。例えば、水平断面が直線状をなし鉛直断面が後方に凹んだ形状であったり、水平断面形状及び鉛直断面形状が後方に凹んだ形状をなしてもよい。また、扉前板２１の前面２１ａの凹状部２１ｂは、曲率半径の異なる複数の円弧面をなめらかに繋いだ曲面に限定されず、扉前板２１の厚さ方向に対して垂直な平面に対して傾斜角度の異なる複数の平面を組み合わせてなる凹形状であってもよく、また、単一の円弧からなる凹形状であってもよい。
【００３６】
（変更例３）
上記した実施形態では、冷蔵室７、野菜室８、製氷室９、第１冷凍室１０、及び第２冷凍室１１が冷蔵庫本体１内に設けられ、各貯蔵室７，８，９，１０，１１に冷蔵庫扉２，３，４，５，６が設けられた冷蔵庫について説明したが、例えば、冷蔵室及び冷凍室とこれらの貯蔵室に設けられた２枚の扉を備えたいわゆる２ドア式の冷蔵庫において、冷蔵庫扉の外表面を構成する扉前板の前面に後方へ凹んだ凹形状の凹状部を設けてもよい。
【００３７】
（第２実施形態）
次に、第２実施形態について、図４〜図７を参照して説明する。なお、第１実施形態と同一の構成のものについては同一の符号を付し、その構成の説明を省略する。
【００３８】
上記の第１実施形態では、扉前板２１の前面周縁部が、支持枠２２の把持部３２によって覆われている場合について説明したが、本実施形態では扉前板２１２の前面周縁部が前方から見て外部に露出している。
【００３９】
すなわち、図４に示すように、支持枠２２２は、扉前板２１２の裏面が固定される支持部３１２の外周部から扉前板２１２の周面に沿って前方に突出する突出部３４２を備える。突出部３４２の先端は、第１実施形態のように内方へ折れ曲がること無く終端している。これにより、扉前板２１２の前面周縁が突出部３４２の先端部分に覆われること無く前方から見て外部に露出している。
【００４０】
本実施形態では、冷蔵庫扉６の表面（前面）全体に扉前板２１２が露出することとなり冷蔵庫の外観品位を向上することができる。
【００４１】
なお、本実施形態において、図５に示すように扉前板２１２の前面周縁部を周縁に行くほど厚みが薄くなるように扉前板２１２の前面周縁部を直線状に角を落としたり、あるいは、扉前板２１２の前面周縁部を円弧状に角を落とすなど、扉前板２１２の前面周縁部に面取り加工面２１２ｇを形成してもよい。これにより、扉前板２１２のカケや割れを抑えることができる。扉前板２１２の前面周縁部の角を落とす場合、扉前板２１２の前面周縁２１２ｅは、支持部３１２の突出部３４２より前方にあってもよいが、図５に示すように、支持部３１２の突出部３４２より後方に位置することが好ましく、また、図６に示すように、扉前板２１２の前面周縁部の角を落とすことで前面周縁２１２ｅより内方にできる角部２１２ｆが、支持部３１２の突出部３４２より後方に位置することが好ましい。
【００４２】
このように扉前板２１２の前面周縁２１２ｅが突出部３４２より後方に位置することで、カケが生じやすい扉前板２１２の前面周縁２１２ｅを外側から支持枠２２２で覆うことができ、カケや割れの発生を抑えることができる。加えて、前面周縁２１２ｅより内方にできる角部２１２ｆも突出部３４２より後方に配置することで当該角部２１２ｆに物が当たりにくくなり、より一層、扉前板２１２のカケや割れの発生を抑えることができる。
【００４３】
更にまた、図７に示すように、支持枠２２２が支持部３１２の外周部から前方へ突出する突出部を有しておらず、支持枠２２２の外側面（外周面）と扉前板２１２の外側面（外周面）とが連続するように設け、扉前板２１２の外側面も全て露出させてもよい。このよ
うな場合、扉前板２１２が前面に加え外側面全体も外部に露出し、外部へ露出する扉前板２１２の領域が増え冷蔵庫の外観品位を向上することができる。
【００４４】
なお、その他の構成及び作用効果は上記した第１実施形態と同様であり、詳細な説明は省略する。
【００４５】
（第３実施形態）
次に、第３実施形態について、図８及び図９を参照して説明する。なお、第１実施形態と同一の構成のものについては同一の符号を付し、その構成の説明を省略する。
【００４６】
上記した各実施形態では、扉前板２１の前面２１ａが左右両側端より冷蔵庫本体１の幅方向中央に行くほど後方に位置するように、扉前板２１の前面２１ａ全体が凹状部２１ｂをなしている場合について説明したが、本実施形態では、扉前板２１３の前面２１３ａに凹状部２１３ｂとともに、扉前板２１３の一部に前記平面Ｓに平行な平坦部２１３ｄが設けられている。
【００４７】
例えば、図８に示すように、扉前板２１３の左右端部や上下端部に扉前板２１３の厚さ方向に対して垂直な平面Ｓに平行な平坦部２１３ｄを設け、平坦部２１３ｄの内側に凹状部２１３ｂを設けたり、図９に示すように、扉前板２１３の前面２１３ａに設けた凹状部２１３ｂの底部２１３ｃに前記平面Ｓに対して平行な平坦部２１３ｄを設けてもよい。
【００４８】
なお、使用者から操作を受け付けたり、あるいは、使用者の接近を検出するため、冷蔵庫扉に静電容量の変化を検出する検出部を設けることがあるが、その場合、図８及び図９に示すように、扉前板２１３に設けられた平坦部２１３ｄの後面側、つまり、扉前板２１３の厚さ方向に平坦部２１３ｄと対向する位置に静電容量の変化を検出する検出部５０を配設することが好ましい。
【００４９】
このように扉前板２１３の平坦部２１３ｄの後面に検出部５０を設けることで、使用者が平坦部２１３ｄをタッチ操作することになり操作性が向上するとともに、複数の検出部５０を設ける場合に、使用者がタッチ操作する扉前板２１３の前面２１３ａから各検出部５０までの距離が一定となり、各検出部５０の検出感度の設定が容易となる。
【００５０】
なお、その他の構成及び作用効果は上記した第１実施形態と同様であり、詳細な説明は省略する。
【００５１】
（第４実施形態）
次に、第４実施形態について、図１０を参照して説明する。なお、第１実施形態と同一の構成のものについては同一の符号を付し、その構成の説明を省略する。
【００５２】
上記した各実施形態では、扉前板２１の前面２１ａに後方へ凹んだ凹状部２１ｂを設け、扉前板２１の後面を扉前板２１の厚さ方向に垂直な平面で構成したが、本実施形態では、図１０に示すように、扉前板２１４の後面２１４ｇが前面２１４ａと略平行になるように後方へ向けて陥没する凹形状の後面凹状部をなしている。
【００５３】
このような扉前板２１４を備えた扉前板２１は支持枠２２４に設けられた支持部３１４の前面に接着固定されるが、支持部３１４の前面３１４ａは、扉前板２１４の後面２１４ｇに沿った凹形状をなしている。
【００５４】
このような本実施形態では、扉前板２１４の前面２１４ａに後方へ凹んだ凹状部２１４ｂを設けても、扉前板２１４の厚みが薄くならないため、扉前板２１４が後方から前方へ
の押し出される応力を受けてもより一層扉前板２１４に歪みが生じにくくなり、高い外観品位の冷蔵庫が得られる。
【００５５】
また、本実施形態では、扉前板２１４を支持する支持枠２２４の支持部３１４の前面３１４ａが、扉前板２１４の後面２１４ｇに沿った凹形状をなしており、扉前板２１４の後面２１４ｇに面接触状態で接着固定されるため、扉前板２１４を支持枠２２４に対して強固に固定することができる。
【００５６】
なお、その他の構成及び作用効果は上記した第１実施形態と同様であり、詳細な説明は省略する。
【００５７】
（第５実施形態）
次に、第５実施形態について、図１１を参照して説明する。なお、第１実施形態と同一の構成のものについては同一の符号を付し、その構成の説明を省略する。
【００５８】
上記した各実施形態では、冷蔵庫本体１に区画された各貯蔵室を１枚の冷蔵庫扉で閉塞する場合について説明したが、１の貯蔵室の前面開口部を左右に並べて配置した２枚の冷蔵庫扉で閉塞してもよい。
【００５９】
例えば、図１１に示すように、冷蔵室７の前面開口部は、観音開き式の２枚の扉２ａ，２ｂにより閉塞されている。２枚の扉２ａ，２ｂのうち、正面から見て左側の左扉２ａは、左扉２ａの左端部が上側のヒンジ１２ａにより冷蔵庫本体１に回動可能に支持され、冷蔵室７の前面開口部の左側を開閉可能に閉塞する。正面から見て右側の右扉２ｂは、右扉２ｂの右端部が上側のヒンジ１２ｂにより冷蔵庫本体１に回動可能に支持され、冷蔵室７の前面開口部の右側を開閉可能に閉塞する。
【００６０】
このような実施形態においても、左扉２ａの扉前板２１５ａの前面２１５ａａと、右扉２ｂの扉前板２１５ｂの前面２１５ｂａとに、それぞれ後方へ凹んだ凹状部２１５ａｂ、２１５ｂｂを設けることで、扉前板２１５ａ、２１５ｂに歪みが生じにくくなるため、扉前板２１５ａ、２１５ｂに映し出される像の歪みを抑えることができ高い外観品位の冷蔵庫が得られる。
【００６１】
また、本実施形態において、左扉２ａの扉前板２１５ａの前面２１５ａａと右扉２ｂの扉前板２１５ｂの前面２１５ｂａとが、水平方向にはなめらかにつながる連続した凹曲面形状をなしていることが好ましい。これにより、左右に並べて配置された左扉２ａ及び右扉２ｂの扉前板２１５ａ、２１５ｂに、なめらかにつながった像が映し出され、高い外観品位の冷蔵庫が得られる。
【００６２】
その際、扉２ａ，２ｂ以外の冷蔵庫扉３，４，５，６についても外表面を構成する扉前板の前面に後方へ凹んだ凹状部に設け、扉２ａ，２ｂの扉前板２１５ａ、２１５ｂの前面２１５ａａ，２１５ｂａの水平断面形状を、扉２ａ，２ｂの下方に設けられた冷蔵庫扉３，４，５，６の扉前板前面の水平断面形状と同一形状とすることで、冷蔵庫前面全体に統一された像が映し出され、より高い外観品位の冷蔵庫が得られる。
【００６３】
なお、その他の構成及び作用効果は上記した第１実施形態と同様であり、詳細な説明は省略する。
【００６４】
（他の実施形態）
以上、本発明の実施形態を説明したが、これらの実施形態は例として提示したものであり、発明の範囲を限定することを意図していない。これらの実施形態は、その他の様々な
形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６５】
１…冷蔵庫本体、２…冷蔵室扉、３…野菜室扉、４…製氷室扉、５…第１冷凍室扉、６…第２冷凍室扉、７…冷蔵室、８…野菜室、９…製氷室、１０…第1冷凍室、１１…第２冷
凍室、２１…扉前板、２１ａ…前面、２１ｂ…凹状部、２１ｃ…底部、２２…支持枠、２３…真空断熱パネル、２５…断熱体、２７…扉後板、３０…着色層、３１…支持部、３２…把持部
【図１】
2020148458.tif 000003
【図２】
2020148458.tif 000004
【図３】
2020148458.tif 000005
【図４】
2020148458.tif 000006
【図５】
2020148458.tif 000007
【図６】
2020148458.tif 000008
【図７】
2020148458.tif 000009
【図８】
2020148458.tif 000010
【図９】
2020148458.tif 000011
【図１０】
2020148458.tif 000012
【図１１】
2020148458.tif 000013